(57)【要約】【課題】本発明は、容器形状を維持するための剛性の確保を図った容器構造、及びその展開体を提供することを目的とする。【解決手段】展開体１Ａは、矩形状の底壁４と、該底壁の４つの縁ａ、ｂ、ｃ、ｄそれぞれに連設される４つの側壁５、６、７、８と、該４つの側壁のうち１つの側壁を介して連設される天壁９と、を備え、底壁、４つの側壁、及び天壁が、同一平面上に位置され、組立て時に容器となる。底壁には、所定の深さの抜き勾配４１を含む凹部４２が設けられている。【選択図】図１
2019218091.tif 000002
【特許請求の範囲】
【請求項１】
矩形状の底壁と、該底壁の４つの縁それぞれに連設される４つの側壁と、該４つの側壁のうち１つの側壁を介して連設される天壁と、を備え、
前記底壁、前記４つの側壁、及び前記天壁が、同一平面上に位置され、組立て時に容器となる展開体であって、
前記底壁には、所定の深さの抜き勾配を含む凹部が設けられていることを特徴とする展開体。
【請求項２】
前記凹部の底面には、組立て時に前記天壁に向かって立設された複数の突状部が平行に延在して設けられていることを特徴とする請求項１に記載の展開体。
【請求項３】
請求項１または２に記載の展開体において、前記底壁の各縁、及び、前記１つの側壁と前記天壁との境界に位置する縁を折り目として、前記４つの側壁、及び前記天壁が前記底壁から折り起こされて形成された容器構造。
【発明の詳細な説明】
【技術分野】
【０００１】
本発明は、容器構造、及びその展開体に関する。
【背景技術】
【０００２】
従来、容器は、主板と、該主板の両側に折目を介して連設された一方および他方の側板と、上記一方の側板の端部に折目を介して連設された内側連結片と、上記他方の側板の端部に折目を介して連接された外側連結片と、組立時に対向する一方の側板と他方の側板とに設けられて複数の収容物品を出入れ可能に収容するための複数の区画リブとを備えている。複数の区画リブは、各側板において収容物品の出入れ方向に直交する方向（上下方向）に容器の内部を区画する。容器は、プレス成型等により一体成形される。複数の区画リブが形成されていることで、容器の強度が確保される。
【先行技術文献】
【特許文献】
【０００３】
【特許文献１】特開２００２−６８１６７号公報
【発明の概要】
【発明が解決しようとする課題】
【０００４】
しかしながら、従来の容器は、複数の区画リブの突出寸法が、成型時の抜き勾配が不要となる程度の小さい寸法を有して構成されている。このため、容器の強度は確保されるものの、容器形状を維持するための剛性は十分ではない。即ち、容器形状を維持するための剛性の確保が求められている。
【０００５】
本発明は、以上の背景に鑑みてなされたものであり、容器形状を維持するための剛性の確保を図った容器構造、及びその展開体を提供することを目的とする。
【課題を解決するための手段】
【０００６】
上記目的は、以下の本発明によって解決される。
即ち、請求項１に記載の本発明は、矩形状の底壁と、該底壁の４つの縁それぞれに連設される４つの側壁と、該４つの側壁のうち１つの側壁を介して連設される天壁と、を備え、  前記底壁、前記４つの側壁、及び前記天壁が、同一平面上に位置され、組立て時に容器となる展開体であって、前記底壁には、所定の深さの抜き勾配を含む凹部が設けられていることを特徴とする展開体である。
【０００７】
請求項２に記載の本発明は、請求項１に記載の本発明において、前記凹部の底面には、組立て時に前記天壁に向かって立設された複数の突状部が平行に延在して設けられていることを特徴とする。
【０００８】
請求項３に記載の本発明は、請求項１または２に記載の展開体において、前記底壁の各縁、及び、前記１つの側壁と前記天壁との境界に位置する縁を折り目として、前記４つの側壁、及び前記天壁が前記底壁から折り起こされて形成された容器構造である。
【発明の効果】
【０００９】
請求項１に記載の展開体によれば、底壁には、所定の深さの抜き勾配を含む凹部が設けられている。これによれば、底壁に、所定の深さの抜き勾配を含む凹部が設けられていることにより、組立て状態の容器形状を維持することが可能な剛性を得ることができる。
【００１０】
請求項２に記載の展開体によれば、凹部の底面には、組立て時に天壁に向かって立設された複数の突状部が平行に延在して設けられている。これによれば、より一層、剛性を高めることができる。
【００１１】
請求項３に記載の容器構造によれば、底壁の各縁、及び、１つの側壁と天壁との境界に位置する縁を折り目として、４つの側壁、及び天壁が折り起こされて形成された容器構造である。これによれば、底壁に、所定の深さの抜き勾配を含む凹部が設けられていることにより、組立て時の容器形状を維持することが可能な剛性を得ることができる。
【図面の簡単な説明】
【００１２】
【図１】本発明の一実施の形態にかかる展開体を示す斜視図である。
【図２】（Ａ）は、前記展開体を示す平面図であり、（Ｂ）（Ｃ）は、前記展開体をそれぞれ別の方向から見た側面図である。
【図３】本発明の一実施の形態にかかる容器構造が組立てられる様子を示す斜視図である。
【図４】前記容器構造において、蓋体が箱本体の開口を全開した状態を示す斜視図である。
【図５】前記容器構造において、蓋体が箱本体の開口を全閉した状態を示す斜視図である。
【発明を実施するための形態】
【００１３】
以下、本発明、例示的一態様である実施形態にかかる容器構造、及びその展開体を、図１〜図５を参照して説明する。
【００１４】
図１において、符号１Ａは、本発明の一実施の形態にかかる容器構造の展開体（展開体）であり、符号１は、本発明の一実施の形態にかかる容器構造である。展開体１Ａは、容器構造１を作製するためのものである。また、展開体１Ａとは、容器構造１を構成する底壁４、４つの側壁５、６、７、８、及び天壁９を含む全ての部位が、同一平面上に位置した形態のことである。
【００１５】
容器構造１は、熱可塑性樹脂からなる一枚の平板を加熱プレス成型や真空成型により一体成形した展開体１Ａを組み立てたものである。容器構造１は、底壁４に対して、４つの側壁５、６、７、８、及び天壁９が折り起こされて構成されている。熱可塑性樹脂としては、ＰＥＴ（ポリエチレンテレフタレート）、ＰＰ（ポリプロピレン）、ＰＥ（ポリエチレン）、ＰＳ（ポリスチレン）またはＰＣ（ポリカーボネート）等の合成樹脂を用いることができる。
【００１６】
容器構造１は、図４、５に示すように、上方に開口２０（図４に示す）を有する箱本体２と、この箱本体２の開口２０を覆うことが可能な蓋体３と、を一体に備えて構成されている。箱本体２は、矩形状の底壁４と、底壁４から立設されて前後方向に対向する前後の側壁５、６と、底壁４から立設されて左右方向に対向する左右の側壁７、８と、を備えている。
【００１７】
ここで、本実施形態では、図４、５に示すように、組立て状態の容器構造１において、前後の側壁５、６の対向方向を「前後方向」と記し、左右の側壁７、８の対向方向を「左右方向」と記し、前後方向及び左右方向に直交する方向を「高さ方向（上下方向）」と記す場合がある。また、図１、２に示すように、展開体１Ａ（展開状態と記す場合がある）において、底壁４から見て左右の側壁７、８が位置する方向を「左右方向」と記し、底壁４から見て前後の側壁５、６が位置する方向を「前後方向」と記し、前後方向及び左右方向に直交する方向であり、同一平面上に位置する展開体１Ａにおける厚み方向を「高さ方向」と記す場合がある。
【００１８】
底壁４は、図１、２に示すように、前後左右の各縁ａ、ｂ、ｃ、ｄを含みつつ、各縁ａ、ｂ、ｃ、ｄと同一平面上に位置する環状の底壁周縁部４０と、勾配部４１（抜き勾配と記すこともある）を有する凹部４２と、を有して構成されている。
【００１９】
凹部４２は、組立て状態の容器形状を維持することが可能な剛性を得るためのものであり、底壁周縁部４０の内方（中心側）に連続される勾配部４１と、勾配部４１の内方に連続されて、凹部４２の底を構成する底壁平坦部４３と、底壁平坦部４３に形成された底壁突状部４４（突状部）と、を有して構成されている。
【００２０】
勾配部４１は、高さ方向の一方（図１において紙面垂直方向の奥側、図４に示す組立て状態において天壁９から離れた側）に向かうにしたがって底壁周縁部４０の面内方に向かうように傾斜して設けられている。勾配部４１は、プレス成型の際、展開体１Ａから金型をスムーズに抜き取るために形成されたものである。即ち、勾配部４１において、その上端（底壁周縁部４０）から下端（底壁平坦部４３）までの上下寸法Ｔ１及び勾配が、金型をスムーズに抜き取るために必要な程度と成るように形成されている。
【００２１】
底壁突状部４４は、底壁平坦部４３から高さ方向の他方（図１において紙面垂直方向の手前側、図４に示す組立て状態において天壁９に近づく側）に立設して設けられている。底壁突状部４４は、平面視が長方形状と成るように形成されている。即ち、底壁突状部４４は、前後方向に所定の幅寸法を有し左右方向に直線状に延在形成されている。本実施形態では、底壁突状部４４は、前後方向に等間隔をあけて３つ並んで互いに平行に設けられている。
【００２２】
前後の側壁５、６は、図４に示すように、底壁４の前方の縁ａから立設される前方の側壁５と、底壁４の後方の縁ｂから立設される後方の側壁６と、を有して構成されている。
【００２３】
前方の側壁５は、矩形状に形成され、底壁４の前方の縁ａに連設されている。前方の側壁５には、その前方の縁ｅに折返し片１０が連設され、その左右の両縁ｆ、ｆには、一対の第１外壁１１、１１が連設されている。折返し片１０は、組立て状態で、前方の縁ｅで折り返されて、前方の側壁５の外面に重ねられる。一対の第１外壁１１、１１は、組立て状態で、後述する左右の側壁本体７Ａ、８Ａの各外面に重ねられる。
【００２４】
前方の側壁５は、前後左右の各縁ｅ、ａ、ｆ、ｆを含みつつ、各縁ａ、ｅ、ｆ、ｆと同一平面上に位置する環状の前方側壁周縁部５０と、前方側壁周縁部５０に囲まれた部分において、複数の区画リブ５１を有して不図示の所定の物品を収容支持する収容部５２と、収容部５２の左右方向の両側に連続される一対の第１補強壁部５３、５３と、収容部５２と各縁ａ、ｅとの間に設けられた一対の直線突条部５４と、を有して構成されている。ここで、所定の物品とは、液晶パネルや有機ＥＬパネル等の板状製品のことである。
【００２５】
収容部５２は、展開状態において、前方側壁周縁部５０から高さ方向の他方（図１において紙面垂直方向の手前側）突出して設けられた台部５５と、台部５５の頂部に形成された複数の区画リブ５１と、を有して構成されている。複数の区画リブ５１は、展開状態において、左右方向に等間隔に並んで設けられ、かつ前後方向に直線状に延在形成されている。複数の区画リブ５１は、台部５５の付け根と頂部との間において、高さ方向の真ん中より頂部側のみに形成されている。即ち、複数の区画リブ５１は、台部５５の付け根と頂部との間において、高さ方向の真ん中より付け根側には設けられていない。
【００２６】
一対の第１補強壁部５３、５３は、それぞれ、第１当接部５３０を有して構成されている。第１当接部５３０は、展開状態において高さ方向の他方（図１において紙面垂直方向の手前側）に向かうにしたがって、左右方向の内方に向けて傾斜する傾斜面から構成されている。第１当接部５３０は、前方の側壁５、及び左右の各側壁本体７Ａ、８Ａが折り起こされた際に、左右の各側壁本体７Ａ、８Ａの後述する第２当接部７１０に当接可能な位置に形成されている。
【００２７】
後方の側壁６は、矩形状に形成され、底壁４の後方の縁ｂに連設されている。後方の側壁６の左右の両縁ｆ、ｆには、一対の第１外壁１１、１１が連設されている。一対の第１外壁１１、１１は、組立て状態で、左右の側壁本体７Ａ、８Ａの各外面に重ねられる。
【００２８】
後方の側壁６は、前後左右の各縁ｂ、ｇ、ｈ、ｈを含みつつ、各縁ｂ、ｇ、ｈ、ｈと同一平面上に位置する環状の後方側壁周縁部６０と、後方側壁周縁部６０に囲まれた部分において、複数の区画リブ５１を有して不図示の所定の物品を収容支持する収容部５２と、収容部５２の左右方向の両側に連続される一対の第１補強壁部５３、５３と、収容部５２と各縁ｂ、ｇとの間に設けられた一対の直線突条部５４と、を有して構成されている。なお、本実施形態では、後方の側壁６における収容部５２、一対の第１補強壁部５３、５３及び一対の直線突条部５４は、前方の側壁５における収容部５２、一対の第１補強壁部５３、５３及び一対の直線突条部５４と略同一形状乃至略同一構成に形成されているため、同一符号を付与して詳細な説明を省略する。
【００２９】
このような収容部５２は、前後の側壁５、６が、底壁４の前後の各縁ａ、ｂを折り目にして折り起こされて、前後方向に対向配置された際に、前方の側壁５に形成された各区画リブ５１と、後方の側壁６に形成された各区画リブ５１と、が対向して設けられる。即ち、組立て状態では、左右方向に隣接する区画リブ５１間の溝同士が、前後方向に対向して設けられる。そして、前後に対向する溝内に、所定の物品が挿入支持されるようになっている。
【００３０】
左右の側壁７、８は、図４に示すように、底壁４の左方の縁ｃから立設される左方の側壁７と、底壁４の右方の縁ｄから立設される右方の側壁８と、を有して構成されている。
【００３１】
左方の側壁７は、図１、２に示すように、底壁４の左方の縁ｃに連設される矩形状の左方の側壁本体７Ａと、前方の側壁５の左方の縁ｆに連設される第１外壁１１と、後方の側壁６の左方の縁ｈに連設される第２外壁１２と、を有して構成されている。左方の側壁７は、組立て時に、左方の側壁本体７Ａの外面に第１外壁１１が重ねられ、第１外壁１１を挟んで左方の側壁本体７Ａから離れた側に第２外壁１２が重ねられる。
【００３２】
左方の側壁本体７Ａは、底壁４が連設される縁ｃを含みつつ、展開状態において、底壁４の底壁周縁部４０、第１外壁１１及び、第２外壁１２と同一平面上に延在する環状の左方側壁周縁部７０と、左方側壁周縁部７０に囲まれた部分において、高さ方向の他方（図１において紙面垂直方向の手前側）に突出して設けられた環状の第２補強壁部７１と、を有して構成されている。
【００３３】
第２補強壁部７１には、組立て状態において、前後の側壁５、６の各第１補強壁部５３の第１当接部５３０に当接可能な位置に、一対の第２当接部７１０が設けられている。一対の第２当接部７１０は、組立て状態において、各第１補強壁部５３に形成された第１当接部５３０に当接することで、前後左右の側壁５、６、７、８が、底壁４から略直角に立設された状態を維持する。一対の第２当接部７１０は、展開状態において、高さ方向の他方（図１において紙面垂直方向の手前側）に向かうにしたがって、左方の側壁本体７Ａの前後方向の中心に向けて傾斜する傾斜面から構成されている。
【００３４】
右方の側壁８は、図１、２に示すように、底壁４の右方の縁ｄに連設される矩形状の右方側壁本体８Ａと、前方の側壁５の左方の縁ｆに連設される第１外壁１１と、後方の側壁６の左方の縁ｈに連設される第２外壁１２と、を有して構成されている。右方の側壁８は、組立て状態で、右方の側壁本体８Ａの外面に第１外壁１１が重ねられ、第１外壁１１を挟んで右方の側壁本体８Ａから離れた側に第２外壁１２が重ねられる。
【００３５】
右方の側壁本体８Ａは、底壁４が連設される縁ｄを含みつつ、展開状態において、底壁４の底壁周縁部４０、第１外壁１１及び、第２外壁１２と同一平面上に延在する環状の右方側壁周縁部８０と、右方側壁周縁部８０に囲まれた部分において、高さ方向の他方（図１において紙面垂直方向の手前側）に突出して設けられた環状の第２補強壁部７１と、を有して構成されている。右方の側壁８における第２補強壁部７１は、左方の側壁７における第２補強壁部７１と略同一形状乃至略同一構成に形成されているため、同一符号を付与して詳細な説明を省略する。
【００３６】
各第１外壁１１には、コ字状の切込み１１ａが形成されている。各第２外壁１２の先端部には、各第１外壁１１の切込み１１ａに係止可能な係止片１２０が形成されている。
【００３７】
このような左右の側壁７、８は、組立て状態で、左右の側壁本体７Ａ、８Ａの各外面に各第１外壁１１、各第２外壁１２の順で重ねられ、切込み１１ａに係止片１２０を係止させることで、左右の側壁本体７Ａ、８Ａの各外面に各第２外壁１２、各第１外壁１１の順で重なった状態が維持されるようになっている。
【００３８】
蓋体３は、図４に示すように、組立て状態において、底壁４に対向配置される天壁９と、天壁９の前方の縁ｉから立設されて前方の側壁５に重ねられる第１覆い壁１３と、天壁９の左右の各縁ｊから立設されて左右の各側壁本体７Ａ、８Ａに重ねられる一対の第２覆い壁１４、１４と、を有して構成されている。
【００３９】
天壁９は、図１、２に示すように、後方の側壁６が連設される縁ｇを含みつつ、展開状態において、第１覆い壁１３、及び後述する一対の第２覆い壁本体１４Ａ、１４Ａと同一平面上に延在する環状の天壁周縁部９０と、天壁周縁部９０に囲まれた部分に設けられた天壁第１平面部９１、一対の天壁第２平面部９２、及び一対の天壁第３平面部９３と、を有して構成されている。一対の天壁第２平面部９２、及び一対の天壁第３平面部９３は、前後方向に所定の幅寸法を有し左右方向に直線状に延在して設けられている。
【００４０】
展開状態において、一対の天壁第２平面部９２は、前後方向の両端部に設けられ、天壁第１平面部９１は、一対の天壁第２平面部９２の間に設けられている。一対の天壁第３平面部９３は、天壁第１平面部９１の高さ方向の他方（図１において紙面垂直方向の手前側）の面に前後方向に間隔をあけて設けられている。
【００４１】
図１に示すように、天壁第１平面部９１、天壁第２平面部９２、及び天壁第３平面部９３のうち、天壁第１平面部９１の高さ方向の他方（図１において紙面垂直方向の手前側）の面９１ａが、天壁周縁部９０から高さ方向に最も離れた位置に設けられている。また、天壁第１平面部９１、天壁第２平面部９２、及び天壁第３平面部９３のうち、天壁第３平面部９３の高さ方向の他方（図１において紙面垂直方向の手前側）の面９３ａが、天壁周縁部９０から高さ方向に最も近い位置に設けられている。天壁第２平面部９２は、その高さ方向の他方（図１において紙面垂直方向の手前側）の面９２ａが、天壁第１平面部９１の高さ方向の他方の面９１ａと天壁第３平面部９３の高さ方向の他方の面９３ａとの間に位置するように設けられている。
【００４２】
一対の第２覆い壁１４、１４は、それぞれ、第２覆い壁本体１４Ａと、第１覆い壁１３の左右の両縁ｋ、ｋに連設された舌片１５と、を備えている。
【００４３】
第２覆い壁本体１４Ａには、コ字状の切込み１４ａが形成されている。各舌片１５には、半円状の切込み１５ａが形成されている。各舌片１５は、第１覆い壁１３の左右の両縁ｋ、ｋを折り目として略直角に折られることで、第２覆い壁本体１４Ａの外面に重ねられる。そして、コ字状の切込み１４ａに半円状の切込み１５ａを係止させつつ舌片１５の先端部を係止させることで、各舌片１５が各第２覆い壁本体１４Ａに重なった状態が維持されるようになっている。
【００４４】
容器構造１の組立て手順について、図１〜５を参照して説明する。
【００４５】
まず、図１〜３に示すように、展開体１Ａの裏面（容器構造１の内面）が上方に位置し、展開体１Ａの表面（容器構造１の外面）が下方に位置する向きで、底壁４の各縁ａ、ｂ、ｃ、ｄを折り目として、前後の各側壁５、６及び、左右の各側壁本体７Ａ、８Ａを折り起こす。前方の側壁５における各第１補強壁部５３、５３の第１当接部５３０と、左右の側壁本体７Ａ、８Ａにおける各第２補強壁部７１、７１の各第２当接部７１０と、が当接する。これと略同時に、前後の各側壁５、６が底壁４から立設され、左右の側壁本体７Ａ、８Ａが底壁４から立設される。これにより、当接状態の第１当接部５３０及び第２当接部７１０が、底壁４の四隅に立設されて、前後の各側壁５、６及び左右の各側壁本体７Ａ、８Ａが、底壁４から略直角に立設された状態が維持される。
【００４６】
この後、前方の側壁５の前方の縁ｅを折り目として折って、折返し片１０を前方の側壁５の外面に重ねる。また、前方の側壁５の左右の各縁ｆを折り目として折って、各第１外壁１１を左右の各側壁本体７Ａ、８Ａの各外面に重ねる。そして、各第２外壁１２の係止片１２０が、各第１外壁１１の切込み１１ａを係止する。これにより、左右の側壁本体７Ａ、８Ａの各外面に各第２外壁１２、各第１外壁１１の順で重なった状態が維持される。
【００４７】
こうして、左方の側壁本体７Ａ、第１外壁１１、及び第２外壁１２を有する左方の側壁７が構成され、右方の側壁本体８Ａ、第１外壁１１、及び第２外壁１２を有する右方の側壁８が構成される。そして、図４に示すように、底壁４から前後左右の側壁５、６、７、８が立設された箱本体２が形成される。
【００４８】
次に、天壁９の各縁ｉ、ｊ、ｊを折り目として、第１覆い壁１３、各第２覆い壁本体１４Ａを折り起こす。次に、第１覆い壁１３の左右の各縁ｋ、ｋを折り目として折って、各舌片１５を各第２覆い壁本体１４Ａの各外面に重ねる。そして、コ字状の切込み１４ａに半円状の切込み１５ａを係止させつつ、舌片１５の先端部を係止させる。各舌片１５が各第２覆い壁本体１４Ａの外面に重なった状態が維持される。こうして、図４、５に示すように、天壁９から第１覆い壁１３、一対の第２覆い壁１４が立設された蓋体４が形成されて、容器構造１が完成する。容器構造１は、前後の各側壁５、６の各内面に設けられた収容部５２が、前後方向に対向して設けられている。容器構造１は、各収容部５２の前後に対向する溝内に、所定の物品が上方から挿入されて支持されるように構成される。
【００４９】
上述した実施形態によれば、底壁４には、所定の深さの抜き勾配部４１（勾配）を含む凹部４２が設けられている。これによれば、底壁４に、所定の深さの抜き勾配部４１を含む凹部４２が設けられていることにより、組立て状態の容器形状を維持することが可能な剛性を得ることができる。
【００５０】
また、凹部４２の底壁平坦部４３（凹部の底面）には、組立て時に天壁に９向かって立設された複数の底壁突状部４４（突状部）が平行に延在して設けられている。これによれば、より一層、剛性を高めることができる。
【００５１】
上述した実施形態によれば、底壁４の各縁ａ、ｂ、ｃ、ｄ、及び、後方の側壁６（１つの側壁）と天壁９との境界に位置する縁ｇを折り目として、４つの側壁５、６、７、８、及び天壁９が折り起こされて形成された容器構造１である。これによれば、底壁４に、所定の深さの抜き勾配部４１（勾配）を含む凹部４２が設けられていることにより、組立て状態の容器形状を維持することが可能な剛性を得ることができる。
【００５２】
なお、本発明は、前記実施形態に限定されるものではなく、本発明の目的が達成できる他の構成等を含み、以下に示すような変形例も本発明に含まれる。
【００５３】
前記実施形態では、展開体１Ａは、熱可塑性樹脂からなる一枚の平板を加熱プレス成型や真空成型により成形されているが、本発明はこれに限定されるものではない。展開体１Ａは、射出成形により形成されてもよい。
【００５４】
また、前記実施形態では、底壁突状部４４（突状部）は３つ設けられ、３つの底壁突状部４４が、前後方向に等間隔をあけて互いに平行に設けられているが、本発明はこれに限定されるものではない。突状部は、２つ設けられていてもよいし、４つ以上設けられていてもよい。または、底壁突状部は、底壁平坦部４３から平面視がＨ字状に立設されていてもよく、平面視がＥ字状に立設されていてもよく、平面視がＳ字状に立設されていてもよく、平面視がＸ字状に立設されていてもよく、平面視がＺ字状に立設されていてもよい。これによれば、上述した実施形態と略同様の効果が奏される。
【００５５】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想及び、目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００５６】
１            容器構造
１Ａ          展開体
４            底壁
５            前方の側壁（４つの側壁）
６            後方の側壁（４つの側壁）
７            左方の側壁（４つの側壁）
８            右方の側壁（４つの側壁）
９            天壁
４１          勾配部（勾配）
４２          凹部
４３          底壁平坦部（凹部の底面）
４４          底壁突状部（突状部）
ａ            前方の縁（４つの縁）
ｂ            後方の縁（４つの縁）
ｃ            左方の縁（４つの縁）
ｄ            右方の縁（４つの縁）
ｇ            １つの側壁と天壁との境界に位置する縁
【図１】
2019218091.tif 000003
【図２】
2019218091.tif 000004
【図３】
2019218091.tif 000005
【図４】
2019218091.tif 000006
【図５】
2019218091.tif 000007